(57)【要約】【課題】容易に形成できる積み重ね可能なトレー、及び、該トレーを形成することができる包装箱を提供する。【解決手段】  包装箱１は、一対の内フラップ１２１が設けられた所謂Ａ式の外装箱１０と外装箱１０に収納される昇降板２０とを有する。  前記外装箱１０の前記内フラップ１２１には、該内フラップ１２１を貫通して設けられた一対の係止部１４２，１４３が設けられる。前記昇降板２０は、包装対象物Ｋが載置される載置部２１と、該載置部２１の対向する端縁に折目線ｅを介して夫々連設され、上方に折り曲げられた一対の連結部２２と、該連結部２２の先端縁に連設された一対の摘み部２４とを有する。前記摘み部２４は、前記外装箱１０の内部側から前記内フラップ１２１を貫通して前記係止部１４２，１４３に夫々係止される。【選択図】図４
2019151344.tif 000002
【特許請求の範囲】
【請求項１】
矩形状の底板と、
該底板の四隅からそれぞれ上方に起立する柱部と、
前記柱部の上端にそれぞれ連設され該底板と対向する載置部とを備えるトレーであって、
該柱部は、前記底板の前後縁の各両端部からそれぞれ上方に延びる第１側板と前記底板の左右側縁の各両端部からそれぞれ上方に延びる第２側板との互いに隣接する側縁同士が一体に連結されることで形成され、
前記第１側板の上端縁には、第１折目線を介して第１舌片が連接され、
前記第２側板の上端縁には、第２折目線を介して第２舌片が連接され、
前記第１舌片には、それ自身の中間部から外縁までスリットが設けられ、
前記載置部は、前記スリットに嵌入した前記第２舌片が前記第１舌片によって挟持されることで構成され、
前記スリットの先端は、水平姿勢の前記第１舌片の上側に前記第２舌片を重合させて前記第１舌片及び前記第２舌片を前記第１折目線及び前記第２折目線で前記底板に近づく方向に回動させたときに、該第２舌片の外縁と接する位置に設けられていることを特徴とするトレー。
【請求項２】
請求項１記載のトレーが形成される包装箱であって
前記底板と、
前記底板の周縁から起立する前後左右の側壁により四角筒状に形成された胴部と、
該胴部の一方に対向する一対の第１側壁部の上縁に折目線を介して連設されて内方に水平に折り曲げられた一対の第１フラップと、
該胴部の他方に対向する一対の第２側壁部の上縁に折目線を介して連設されて内方に水平に折り曲げられて各第１フラップの内側または外側に重合する一対の第２フラップと、
各第１フラップの両側縁を結び、前記第１折目線の中間部を跨いで前記第１側壁部側に湾入し、前記第１側板及び前記第１舌片の輪郭線の少なくとも一部を画定する第１破断可能線と、
各第２フラップの両側縁を結び、前記第２折目線の中間部を跨いで前記第２側壁部側に湾入し、前記第２側板及び前記第２舌片の輪郭線の少なくとも一部を画定する第２破断可能線とを備えることを特徴とする包装箱。
【発明の詳細な説明】
【技術分野】
【０００１】
本発明は、上に別のトレーを積み重ねることができるトレー、及び、該トレーを形成することができる包装箱に関する。
【背景技術】
【０００２】
従来、ミカン箱型の箱体から略上半部を切り離して下半部でトレーを形成できる包装箱が知られている。
【０００３】
この種の包装箱から形成されるトレーとして、矩形状の底板と、該底板の四隅からそれぞれ上方に起立する柱部と、前記柱部の上端にそれぞれ連設され該底板と対向する載置部とを備えるトレーであって、該柱部は、前記底板の前後縁の各両端部からそれぞれ上方に延びる第１側板と前記底板の左右側縁の各両端部からそれぞれ上方に延びる第２側板との互いに隣接する側縁同士が一体に連結されることで形成され、前記第１側板の上端縁には、第１折目線を介して第１舌片が連接され、前記第２側板の上端縁には、第２折目線を介して第２舌片が連接され、前記第１舌片には、それ自身の中間部から外縁まで切れ目部が設けられ、前記載置部は、第１舌片の上面に第２舌片が接着されたものが提案されている（特許文献１の図１０、図１１参照）。
【０００４】
この第１舌片及び第２舌片は、包装箱の上部内フラップ及び上部外フラップの一部であって、前記略上半部を切り離したときに前記下半部に繋がって残る部分によって構成される。
【先行技術文献】
【特許文献】
【０００５】
【特許文献１】特開２００３−２４６３１９号公報
【発明の概要】
【発明が解決しようとする課題】
【０００６】
しかしながら、この構成の包装箱では、箱内の商品を一旦取り出すために開梱すると、第１舌片と第２舌片との接着が剥されてしまう。そのため、後にトレーを形成したとしても、別のトレーを積み重ねるためには、別途接着剤を準備して再度第１舌片と第２舌片とを接着する必要があり、手間がかかるという不都合がある。
【０００７】
上記の点に鑑み、本発明は、容易に形成できる積み重ね可能なトレー、及び、該トレーを形成することができる包装箱を提供することを目的とする。
【課題を解決するための手段】
【０００８】
かかる目的を達成するために、本発明のトレーは、矩形状の底板と、該底板の四隅からそれぞれ上方に起立する柱部と、前記柱部の上端にそれぞれ連設され該底板と対向する載置部とを備えるトレーであって、該柱部は、前記底板の前後縁の各両端部からそれぞれ上方に延びる第１側板と前記底板の左右側縁の各両端部からそれぞれ上方に延びる第２側板との互いに隣接する側縁同士が一体に連結されることで形成され、前記第１側板の上端縁には、第１折目線を介して第１舌片が連接され、前記第２側板の上端縁には、第２折目線を介して第２舌片が連接され、前記第１舌片には、それ自身の中間部から外縁までスリットが設けられ、前記載置部は、前記スリットに嵌入した前記第２舌片が前記第１舌片によって挟持されることで構成され、前記スリットの先端は、水平姿勢の前記第１舌片の上側に前記第２舌片を重合させて前記第１舌片及び前記第２舌片を前記第１折目線及び前記第２折目線で前記底板に近づく方向に回動させたときに、該第２舌片の外縁と接する位置に設けられていることを特徴とする。
【０００９】
本発明のトレーでは、水平姿勢の前記第１舌片の上側に前記第２舌片を重合させて押下すると、前記第１舌片及び前記第２舌片は前記第１折目線及び前記第２折目線で前記底板に近づく方向に回動し、該第２舌片の外縁は前記スリットの先端と接してその内部に嵌入する。
【００１０】
そこから前記第１舌片及び前記第２舌片を水平姿勢に向けて逆方向に回動させていくと、該第２舌片は、スリットにさらに嵌入していき前記第１舌片によって挟持され、この結果、別のトレーを積み重ねることができる載置部が形成される。
【００１１】
したがって、本発明によれば、積み重ね可能なトレーを容易に形成することができる。
【００１２】
また、本発明の包装箱は、前記トレーが形成される包装箱であって、前記底板と、前記底板の周縁から起立する前後左右の側壁により四角筒状に形成された胴部と、該胴部の一方に対向する一対の第１側壁部の上縁に折目線を介して連設されて内方に水平に折り曲げられた一対の第１フラップと、該胴部の他方に対向する一対の第２側壁部の上縁に折目線を介して連設されて内方に水平に折り曲げられて各第１フラップの内側または外側に重合する一対の第２フラップと、各第１フラップの両側縁を結び、前記第１折目線の中間部を跨いで前記第１側壁部側に湾入し、前記第１側板及び前記第１舌片の輪郭線の少なくとも一部を画定する第１破断可能線と、各第２フラップの両側縁を結び、前記第２折目線の中間部を跨いで前記第２側壁部側に湾入し、前記第２側板及び前記第２舌片の輪郭線の少なくとも一部を画定する第２破断可能線とを備えることを特徴とする。
【００１３】
本発明の包装箱では、第１破断可能線は、前記第１側板及び前記第１舌片の輪郭線の少なくとも一部を画定するものであって、第２破断可能線は、前記第２側板及び前記第２舌片の輪郭線の少なくとも一部を画定するものであるため、第１破断可能線及び第２破断可能線に沿って破断して、該第２舌片をスリットに嵌入させるだけで、前記トレーが形成できる。
【００１４】
したがって、本発明の包装箱によれば、積み重ね可能なトレーを容易に形成することができる。
【図面の簡単な説明】
【００１５】
【図１】本発明の包装箱の一実施形態を示す斜視図。
【図２】本発明の包装箱の展開状態の平面図。
【図３】本発明の包装箱をトレー状にする開梱状態を説明する斜視図であって、図３Ａは包装箱の説明図、図３Ｂは側壁を破断可能線に沿って破断した状態を説明する説明図、図３Ｃは上半部を取り去った状態を説明する説明図。
【図４】トレーの載置部の組立てを説明する斜視図であって、図４Ａは外フラップを押下する前の状態を示す説明図、図４Ｂは外フラップを押下した状態を示す説明図、図４Ｃは外フラップが切れ目部先端に差し込まれた状態を示す説明図、図４Ｄは外フラップが切れ目部に差し込まれ挟持された状態を示す説明図。
【図５】本発明のトレーを積み重ねた状態を示す斜視図。
【発明を実施するための形態】
【００１６】
本発明の一実施形態を図面に基づいて説明する。本実施形態の包装箱１は、図１に組立状態を示すように、四角筒状の胴部２と、該胴部２の上端を閉塞する天板３と、該胴部２の下端を閉塞する底板４とによって直方体状に形成されている。
【００１７】
包装箱１は、図２に展開して示すように、一枚の段ボール板紙１０から形成されている。なお、図２は、段ボール板紙１０の裏面側を示している。段ボール板紙１０は、右端の第１側壁部１１と、第１側壁部１１の左側縁に折目線ａを介して連設された第２側壁部１２と、第２側壁部１２の左側縁に折目線ｂを介して連設された第１側壁部１１と、第１側壁部１１の左側縁に折目線ｃを介して連設された第２側壁部１２と、第２側壁部１２の左側縁に折目線ｄを介して連設された接着片１３とを備えている。
【００１８】
第１側壁部１１は、上端縁に折目線ｅを介して上部内フラップ１４（第１フラップに相当。）が連設され、下端縁に折目線ｆを介して下部内フラップ１５が連設されている。第２側壁部１２は、上端縁に折目線ｇを介して上部外フラップ１６（第２フラップに相当）が連設され、下端縁に折目線ｈを介して下部外フラップ１７が連設されている。
【００１９】
後述するが、上部内フラップ１４，１４及び上部外フラップ１６，１６は、天板３を構成するものであり、下部内フラップ１５，１５及び下部外フラップ１７，１７は底板４を構成するものである。
【００２０】
図１及び図２に示すように、第１側壁部１１の中央部には、略Ｕ字状のミシン目２１が設けられている。ミシン目２１の各端部は、第１側壁部１１の上端縁に対して、該上端縁の左右端から所定の間隔を有した中間部で接している。また、ミシン目２１全体も、第１側壁部１１の左右側縁に接する箇所がないように、該左右側縁から所定の間隔を有している。
【００２１】
上部内フラップ１４には、前記ミシン目２１の各端部からミシン目２２，２２がさらに連接されている。
【００２２】
右側のミシン目２２は該内フラップ１４の右側縁まで延びており、その先端は前記内フラップ１４の右側縁の基端から先端側に所定の間隔を有する位置に接続されている。他方、左側のミシン目２２は該内フラップ１４の左側縁まで延びており、その先端は、前記内フラップ１４の左側縁の基端から先端側に所定の間隔を有する位置に接続されている。
【００２３】
なお、第１側壁部１１のミシン目２１及び内フラップ１４のミシン目２２，２２が本発明の第１破断可能線に相当する。
【００２４】
内フラップ１４には、さらにスリット２３が形成されている。スリット２３は、各ミシン目２２から内フラップ１４の基端縁に向かって合計４つ形成されている。
【００２５】
内フラップ１４の右側に形成されたスリット２３を例に説明すると、右側のスリット２３は、ミシン目２２から右斜め下方向に向かって延びている。スリット２３の先端は、内フラップ１４の基端縁及び右側縁のいずれに対しても所定の間隔を有している。
【００２６】
図１及び図２に示すように、第２側壁部１２の中央部には、略Ｕ字状のミシン目２４が設けられている。ミシン目２４の各端部は、第２側壁部１２の上端縁に対して、該上端縁の左右端から所定の間隔を有した中間部で接している。また、ミシン目２４全体も、第２側壁部１２の左右側縁に接する箇所がないように、該左右側縁から所定の間隔を有している。
【００２７】
上部内フラップ１６には、前記ミシン目２４の各端部からミシン目２５，２５がさらに連接されている。
【００２８】
右側のミシン目２５は該内フラップ１６の右側縁まで延びており、その先端は、前記内フラップ１６の右側縁の基端から先端側に所定の間隔を有する位置に接続されている。
【００２９】
左側のミシン目２５は該内フラップ１６の左側縁まで延びており、その先端は、前記内フラップ１６の左側縁の基端から先端側に所定の間隔を有する位置に接続されている。
【００３０】
なお、第２側壁部１２のミシン目２４及び内フラップ１６のミシン目２５，２５が本発明の第２破断可能線に相当する。
【００３１】
前記ミシン目２１，２１，２４，２４には、手指差込部２６がそれぞれ設けられている。
【００３２】
手指差込部２６は、前記ミシン目２１，２４の底部中央から上方に延びる切れ目２６ａと、該切れ目２６ａから、それぞれ左右方向に向かってミシン目２１，２４と略平行に延びる折目線２６ｂと、各折目線２６ｂの先端から前記ミシン目２１，２４まで延びる一対の切れ目線２６ｃと、ミシン目２１，２４のうちで一対の切れ目線２６ｃで挟まれる領域とからなる。
【００３３】
図１に示す包装箱１は、図２に示す上記構成の段ボール板紙１０から組み立てられる。
【００３４】
即ち、段ボール板紙１０の一対の第１側壁部１１と一対の第２側壁部１２とを夫々折目線ａ乃至ｃに沿って同一方向に折り曲げ、次いで、第１側壁部１１の左端縁に連設されている接着片１３を第１側壁部１１の右端部の内側面に重合させて接着する。これにより、四角筒状の胴部２が形成される。
【００３５】
続いて、一対の下部内フラップ１５を夫々折目線ｆ沿って水平に折り曲げ、一対の下部外フラップ１７を夫々折目線ｈに沿って水平に折り曲げて前記下部内フラップ１５の外側に重合させて、その重合部分を接着剤で接着することにより、底板４が形成される。
【００３６】
次いで、胴部２の内部に被包装物を入れ、その後、一対の上部内フラップ１４を夫々折目線ｅ沿って水平に折り曲げ、一対の上部外フラップ１６を夫々折目線ｇに沿って水平に折り曲げて前記上部内フラップ１４の外側に重合させて、その重合部分を接着剤で接着することにより、天板３が形成され、図１に示すように、包装箱１が形成される。
【００３７】
次に、図３を参照して、本実施形態の包装箱１を開梱してトレー状にする作業を説明する
まず、図３Ａに示すように、第２側壁部１２に形成された手指差込部２６を内側に向かって押し込む。このとき、手指差込部２６のうち上下方向に延びる切れ目２６ａ及び切れ目２６ｃ，２６ｃは切断されているので、ミシン目２４のうちの切れ目２６ｃ，２６ｃに挟まれた領域が破断されるとともに折目線２６ｂが山折りされ、手指差込部２６は胴部２の内側に折り込まれる。
【００３８】
次いで、図３Ｂに示すように、手指差込部２６により形成された開口から胴部２の内側に手指等を挿入し、第２側壁部１２の内面に指を掛け、上方向かつ第２側壁部１２から離間する方向に、折目線ｇを回動軸として引っ張り上げる。これにより、ミシン目２４が中央から左上及び右上に向かってそれぞれ破断されていき、ミシン目２４全体が破断される。
【００３９】
さらに、第２側壁部１２を上方向かつ天板３中央方向に引っ張り上げると、上部外フラップ１６が、その基端縁から左右側縁に向かってミシン目２５，２５に沿って破断され、包装箱１から遊離される。
【００４０】
次に、図３Ａに示すように、第１側壁部１１に形成された手指差込部２６を内側に向かって押し込む。このとき、手指差込部２６のうち上下方向に延びる切れ目２６ａ及び切れ目２６ｃ，２６ｃは切断されているので、ミシン目２１のうちの切れ目２６ｃ，２６ｃに挟まれた領域が破断されるとともに折目線２６ｂが山折りされ、手指差込部２６は胴部２の内側に折り込まれる。
【００４１】
次いで、図３Ｂに示すように、手指差込部２６により形成された開口から胴部２の内側に手指等を挿入し、第１側壁部１１の内面に指を掛け、上方向かつ第１側壁部１１から離間する方向に、折目線ｅを回動軸として引っ張り上げる。これにより、ミシン目２１が中央から左上及び右上に向けてそれぞれ破断されていき、ミシン目２１全体が破断される。
【００４２】
さらに、第１側壁部１１を上方向かつ天板３中央方向に引っ張り上げると、図３Ｃに示すように、上部内フラップ１４が、その基端縁から左右側縁に向かってミシン目２２に沿って破断され、包装箱１から遊離され、トレー１００が形成される。
【００４３】
次に、図３Ｃを参照して、包装箱１とトレー１００との対応関係について説明する。
【００４４】
まず、トレー１００は、底板４と、底板４の四隅からそれぞれ上方に起立する柱部１１０と、柱部１１０の上端にそれぞれ連設され底板４と略平行な載置部１２０とを備える。また、トレー１００には、柱部１１０と隣接する他の柱部１１０とを連結する連結部１３０が設けられている。
【００４５】
図３Ｃに示すように、第１側壁部１１は、ミシン目２１で破断され中央上部が遊離されたことでミシン目２１を輪郭線としてＵ字形状に残っている。このうち左右端縁に沿って上下方向に延びる領域を第１側板１１１と定義し、基端縁に沿って左右方向に延び第１側板１１０，１１０を結ぶ領域を前記連結部１３０と定義する。
【００４６】
同様に、第２側壁部１２のうち、左右端縁に沿って上下方向に延びる領域を第２側板１１２と定義し、基端縁に沿って左右方向に延び第２側板１１２，１１２を結ぶ領域を同様に連結部１３０と定義する。
【００４７】
つまり柱部１１０は、第１側板１１１と、該第１側板１１１と折目線（ａ乃至ｄ）を介して連設された第２側板１１２によって構成されている。
【００４８】
図３Ｃに示すように、上部内フラップ１４は、ミシン目２２，２２で破断され大部分が遊離されたことでミシン目２２を輪郭線として三角形状に残っている。この三角形状の領域を第１舌片１２１（図４参照）と定義する。
【００４９】
同様に、上部外フラップ１６は、ミシン目２５，２５で破断され大部分が遊離されたことでミシン目２５を輪郭線として三角形状に残っている。この三角形状の領域を第２舌片１２２と定義する。
【００５０】
次に、図４を参照して、第１舌片１２１と第２舌片１２２とによって、載置部１２０を組み立てる作業を説明する。なお、図４は、図３Ｃにおける左奥側の柱部１１０の拡大図である。
【００５１】
図４Ａに示すように、第１舌片１２１の外側に第２舌片１２２を重ね合わせた状態で、第２舌片１２２を押し下げる。これにより、第２舌片１２２は、折目線ｇを回動軸として下方に押し込まれる。同時に、第１舌片１２１も折目線ｅを回動軸として下方に押し込まれる。
【００５２】
このとき、図４Ｂに示すように、第１舌片１２１の外縁のうちミシン目２２による輪郭線に沿った辺（以下、単に「ミシン目辺１２１ａ」という）と、第２舌片１２２の外縁のうち上部外フラップ１６の側縁に沿った辺（以下、単に「側縁辺１２２ａ」という。）とが互いに摺動される。より具体的には、第１舌片１２１のミシン目辺１２１ａは基端から先端方向に向けて摺動され、第２舌片１２２の側縁辺１２２ａは先端から基端側に向かって摺動される。
【００５３】
そして、第２舌片１２２の側縁辺１２２ａが、第１舌片１２１のスリット２３を超えた先端側まで摺動すると、図４Ｃに示すように、第１舌片１２１のスリット２３より基端側は、段ボール板紙の弾性復元力によって板バネのように略水平姿勢に復元する。これにより、スリット２３が上下方向に幅が広がるため、スリット２３の上下方向の隙間に第２舌片１２２が配置される。
【００５４】
次いで、第２舌片１２２から指を離すと、図４Ｄに示すように、段ボール板紙の弾性復元力によって、第２舌片１２２と第１舌片１２１のスリット２３より先端側とが略水平姿勢に復元される。このとき、スリット２３は元の幅まで狭まるとともに、第２舌片１２２は、スリット２３の基端まで嵌入し、該スリット２３によって挟持される。
【００５５】
これにより、第２舌片１２２を押すだけで、第１舌片１２１に該第２舌片１２２が挟まり載置部１２０が形成される。
【００５６】
以上説明したとおり、本実施形態の包装箱１００によれば、ミシン目２４，２５を破断し、ミシン目２１，２２を破断し、第２舌片１２２を押し下げるという、３アクションだけでトレー１００を形成することができる。
【００５７】
そして、図５に示すように、トレー１００は、載置部１２０を有するため、陳列の際に他のトレー１００を積み重ねることができる。また、トレー１００は、第１側壁部１１及び第２側壁部１２の中央上部が開口しているため、このように積み重ねても側方から被包装物を視認可能である。
【００５８】
さらに、トレー１００は、柱部１１０と隣接する他の柱部１１０とを連結する連結部１３０が設けられているため、複数のトレー１００を積み重ねられる強度を確保することができる。
【００５９】
［変形例］
本発明の包装箱は、上述した本実施形態に限定されるものではない。
【００６０】
すなわち、本実施形態では四角筒状の胴部２を例に説明したが、三角筒状、五角筒状、六角筒状等であってもよい。
【００６１】
本実施形態の包装箱１は段ボール板紙１０から形成したが、段ボール以外にボール紙等の厚紙材料であっても好適に採用できる。
【００６２】
本実施形態のミシン目２１，２４は略Ｕ字状に設けられているが、Ｖ字状であってもよく、直線状でなく振幅する波状に延びていてもよい。また、第１側壁部１１及び第２側壁部１２の下端縁に接してもよく、この場合には連結部１３０が省略されることになる。逆に、例えば、本実施形態のミシン目２１，２４は、第１側壁部１１及び第２側壁部１２の上端縁に沿って設けられていてもよい。この場合には、トレー状に形成したとき側方から内容物を視認することはできないが、連結部１３０の高さが柱部１１０の高さと一致するため、耐久性は大きくなる。
【００６３】
手指差込部２６は、本実施形態で説明した形状に限られず、設けることなく省略してもよい。
【００６４】
本実施形態では内フラップと外フラップとを接着剤で接着したが、外フラップの先端縁に沿ってテープを貼付して封止してもよい。
【００６５】
本実施形態では、本発明の第１破断可能線及び第２破断可能線を直線状の複数の切れ目によるミシン目２１，２２，２４，２５を例に説明したが、一端が屈曲する複数の切れ目によるジッパーによって構成してもよい。
【００６６】
本実施形態では、ミシン目２１，２３を連続して破断してから、ミシン目２４，２５を連続して破断したが、ミシン目２１，２３及びミシン目２４，２５の破断は順不同であり、例えば、ミシン目２１，２４を破断させてから、第１側壁部１１を上方向に引っ張り上げて、ミシン目２２を破断すると同時にミシン目２５を破断させてもよい。
【００６７】
本実施形態の第１舌片１２１及び第２舌片１２２は、三角形状のものを例に説明したが、Ｕ字形状や扇形状など他の形状であってもよい。また、本実施形態の第１舌片１２１及び第２舌片１２２は、いずれも三角形状の組合せを例に説明したが、どちらか一方が四角形状や扇形状など異なる形状の組合せであってもよい。
【００６８】
本実施形態のスリット２３は、ミシン目辺１２１ａから天板３の隣接した四隅方向に向かって延設されたものを例に説明したが、第２舌片１２２が差し込まれれば足りるため、第２舌片１２２の形状によっては、折目線ｅに沿って延設されてもよく、折目線ｅから漸次離間するように延設されてもよく、折目線ｅに向かって延設されてもよい。但し、折目線ｅまで延設された場合には、第２舌片１２２をスリット２３で挟持したときに、第１舌片１２１がスリット２３で分断されてそれぞれ折目線ｅで回動し、挟持する力が低下するので、スリットは、折目線ｅから所定の間隔を有するように形成するのが好ましい。
【００６９】
本実施形態のスリット２３は、直線状のものを例に説明したが、入り口側が狭く奥側は対向する縁が離間した瓢箪状や、第２舌片が嵌入されやすいように入り口側にテーパーを有する漏斗状であってもよい。
【００７０】
本実施形態の載置部１２０の組立方法は、第１舌片１２１のスリット２３より基端側が、段ボール板紙の弾性復元力によって板バネのように略水平姿勢に復元するものを例に説明したが、第２舌片１２２を押下したときに、第２舌片１２２がスリット２３の入り口に若干侵入し、第２舌片１２２を把持し水平姿勢に復元させていくにしたがい、徐々にスリット２３の奥側に嵌入されてもよい。
【符号の説明】
【００７１】
１      包装箱
２      胴部
４      底板
１１    第１側壁部
１２    第２側壁部
１４    上部内フラップ（第１フラップ）
１６    上部外フラップ（第２フラップ）
２１    ミシン目（第１破断可能線）
２２    ミシン目（第１破断可能線）
２３    スリット
２４    ミシン目（第２破断可能線）
２５    ミシン目（第２破断可能線）
１００  トレー
１１０  柱部
１１１  第１側板
１１２  第２側板
１２０  載置部
１２１  第１舌片
１２２  第２舌片
ｅ      折目線（第１折目線）
ｇ      折目線（第２折目線）
【図１】
2019151344.tif 000003
【図２】
2019151344.tif 000004
【図３】
2019151344.tif 000005
【図４】
2019151344.tif 000006
【図５】
2019151344.tif 000007